(57)【要約】【課題】天板１上にバーナ２を配置したガスコンロであって、天板の過熱を防止できるようにしたものを提供する。【解決手段】バーナ２は、外周形状が平面視円形又は多角形であって、外周面に周方向の間隔を存して多数の炎孔２１を有する。また、バーナ２に、放射状に外方にのびる複数の五徳爪５が一体に形成され、これら五徳爪５によりバーナ２がその底面を天板から浮かせた状態で天板１上に支持される。バーナ２は、更に、中央部に上下方向の貫通穴２２を有する環状に形成され、バーナ２底面と天板１との間の空隙が貫通穴２２に連通する。また、天板１上に、バーナ２に混合気を供給する、バーナ２から外方にのびる導管３が配置され、この導管３は、複数の五徳爪５のうちの所定の♯１の五徳爪５で覆われる。【選択図】図４
2016200374.tif 000002
【特許請求の範囲】
【請求項１】
天板上にバーナを配置したガスコンロであって、
バーナは、外周形状が平面視円形又は多角形であって、外周面に周方向の間隔を存して多数の炎孔を有し、バーナに、放射状に外方にのびる複数の五徳爪が一体に形成され、これら五徳爪によりバーナがその底面を天板から浮かせた状態で天板上に支持されることを特徴とするガスコンロ。
【請求項２】
前記バーナは、中央部に上下方向の貫通穴を有する環状に形成され、バーナ底面と前記天板との間の空隙が貫通穴に連通することを特徴とする請求項１記載のガスコンロ。
【請求項３】
前記天板上に、前記バーナに混合気を供給する、バーナから外方にのびる導管が配置されることを特徴とする請求項１又は２記載のガスコンロ。
【請求項４】
前記導管は、前記複数の五徳爪のうちの所定の五徳爪で覆われることを特徴とする請求項３記載のガスコンロ。
【請求項５】
前記天板の下に、前記導管に一次空気を供給するファンが配置されることを特徴とする請求項３又は４記載のガスコンロ。
【発明の詳細な説明】
【技術分野】
【０００１】
本発明は、天板上にバーナを配置したガスコンロに関する。
【背景技術】
【０００２】
従来、この種のガスコンロとして、天板上に、放射状に外方にのびる複数のバーナボディを有するバーナを配置し、これらバーナボディを五徳に兼用してその上に調理容器を載置できるようにしたものが知られている(例えば、特許文献１参照)。
【０００３】
然し、上記従来例のものは、各バーナボディの底面が天板に接していて、燃焼時に各バーナボディから天板への伝熱で天板の過熱を生ずることがある。
【先行技術文献】
【特許文献】
【０００４】
【特許文献１】特開２００９−８５５８７号公報
【発明の概要】
【発明が解決しようとする課題】
【０００５】
本発明は、以上の点に鑑み、天板上にバーナを配置したガスコンロであって、天板の過熱を防止できるようにしたものを提供することをその課題としている。
【課題を解決するための手段】
【０００６】
上記課題を解決するために、本発明は、天板上にバーナを配置したガスコンロであって、バーナは、外周形状が平面視円形又は多角形であって、外周面に周方向の間隔を存して多数の炎孔を有し、バーナに、放射状に外方にのびる複数の五徳爪が一体に形成され、これら五徳爪によりバーナがその底面を天板から浮かせた状態で天板上に支持されることを特徴とする。
【０００７】
本発明によれば、バーナの底面を天板から浮かせているため、燃焼時のバーナから天板への伝熱が抑制され、天板の過熱を防止できる。更に、五徳爪がバーナに一体化されているため、別途五徳を設ける必要がなく、部品点数を削減できる。また、一般的に、五徳爪と同一方位に位置するバーナ外周面の部分は、五徳爪に火炎が触れないように、炎孔を形成しないか或いは小さな炎孔を形成する特定部位としているが、五徳爪をバーナに一体化すれば、バーナ外周面の特定部位と五徳爪との位置関係が保たれるので、五徳の誤セットで五徳爪が特定部位から外れるようなことがなく、五徳爪に火炎が触れることで発生する燃焼不良を確実に防止できる。
【０００８】
また、本発明において、バーナは、中央部に上下方向の貫通穴を有する環状に形成され、バーナ底面と天板との間の空隙が貫通穴に連通することが望ましい。これによれば、バーナ底面と天板との間の空隙に流入した空気が貫通穴を経由しバーナ上面と五徳爪に載置した調理容器の底面との間の空隙を介して炎孔に二次空気として供給される。そのため、バーナ底面と天板との間の空隙に燃焼中常に空気が流れることになり、この空気により天板が冷却され、天板の温度上昇を一層効果的に防止できる。
【０００９】
更に、本発明においては、天板上に、バーナに混合気を供給する、バーナから外方にのびる導管が配置されることが望ましい。これによれば、煮こぼれがかかりやすいバーナの配置部直下の天板の部分に、混合管等を挿通するための上下方向に貫通する開口を形成せずに済み、煮こぼれが開口からコンロ本体内に侵入することがなく、コンロ内部の耐久性が向上する。
【００１０】
また、導管は、複数の五徳爪のうちの所定の五徳爪で覆われることが望ましい。これによれば、導管が五徳爪により目隠しされ、体裁が良好になる。尚、導管を五徳爪とは別のカバーで覆うことも可能であるが、導管を五徳爪で覆えば、カバーが無い分外観がすっきりすると共に、部品点数を削減でき、有利である。
【００１１】
また、天板上に上記の如く導管を配置する場合は、天板の下に、導管に一次空気を供給するファンを配置することが望ましい。これによれば、導管を細くすることで通気抵抗が増えても、一次空気が不足することはない。そのため、導管を細くすることができ、見映えが良くなる。
【図面の簡単な説明】
【００１２】
【図１】本発明の第１実施形態のガスコンロの要部の斜視図。
【図２】図１のＩＩ−ＩＩ線で切断した断面図。
【図３】本発明の第２実施形態のガスコンロの要部の斜視図。
【図４】図３のＩＶ−ＩＶ線で切断した断面図。
【発明を実施するための形態】
【００１３】
図１を参照して、１は、ガスコンロの天板を示しており、この天板１上にバーナ２が配置されている。バーナ２は、外周形状が平面視円形であって、外周面に周方向の間隔を存して多数の炎孔２１を有し、且つ、中央部に上下方向の貫通穴２２を有する環状に形成されている。
【００１４】
図２も参照して、より具体的に説明すれば、バーナ２は、環状のバーナボディ２ａと、バーナボディ２ａ上に載置される環状のバーナキャップ２ｂとで構成されている。そして、バーナボディ２ａの外周面に炎孔２１を形成している。
【００１５】
また、天板１上には、バーナ２に混合気を供給する導管３がバーナ２から外方にのびるように配置されている。導管３の内端部（バーナ２側の端部）はバーナボディ２ａに接続され、導管３の外端部は下方に屈曲して、天板１に形成した透孔１１に連通している。透孔１１には、天板１の下に配置したガス供給管４の下流端のガスノズル４１が臨んでいる。ガスノズル４１は、一次空気吸引筒４２を具備しており、ガスノズル４１からの燃料ガスの噴射に伴い一次空気吸引筒４２に空気が吸引されて、混合気が透孔１１を介して導管３に供給される。
【００１６】
以上の構成によれば、煮こぼれがかかりやすいバーナ２の配置部直下の天板１の部分に、混合管等を挿通するための上下方向に貫通する開口を形成せずに済む。そのため、煮こぼれが開口からコンロ本体内に侵入することがなく、コンロ内部の耐久性が向上する。
【００１７】
また、本実施形態では、導管３を細くすることで通気抵抗が増えても、一次空気が不足しないように、天板１の下に、ガス供給管４を介して導管３に補助的に一次空気を供給するファン４３を配置している。また、体裁を良くするため、導管３は、化粧カバー３１で覆われている。尚、ファン４３を設けることで導管３を細くできるが、これによれば、化粧カバー３１も細くでき、見映えが良くなる。
【００１８】
また、本実施形態では、バーナ２、具体的には、バーナボディ２ａに、放射状に外方にのびる複数の五徳爪５を一体に形成している。各五徳爪５の外端部には、下方に屈曲して天板１に着座する脚部５１が形成されている。そして、これら五徳爪５によりバーナ２がその底面、即ち、バーナボディ２ａの底面を天板１から浮かせた状態で天板１上に支持されるようにしている。
【００１９】
これによれば、バーナ２の底面を天板１に接触させるものと異なり、燃焼時のバーナ２から天板１への伝熱が抑制され、天板１の過熱を防止できる。更に、五徳爪５がバーナ２に一体化されているため、別途五徳を設ける必要がなく、部品点数を削減できる。また、一般的に、五徳爪と同一方位に位置するバーナ外周面の部分は、五徳爪に火炎が触れないように、炎孔を形成しないか或いは小さな炎孔を形成する特定部位としているが、五徳がバーナと別体であると、五徳の誤セットで五徳爪が特定部位から外れ、五徳爪に火炎が触れて燃焼不良を生ずることがある。これに対し、本実施形態の如く五徳爪５をバーナ２と一体化すれば、バーナ２外周面の特定部位と五徳爪５との位置関係が保たれるため、五徳爪５が特定部位から外れることがなく、五徳爪５に火炎が触れることで発生する燃焼不良を確実に防止できる。
【００２０】
また、本実施形態では、バーナ２が環状に形成されて、バーナ２底面と天板１との間の空隙がバーナ２中央部の貫通穴２２に連通する。そのため、バーナ２底面と天板１との間の空隙に流入する空気が貫通穴２２を経由しバーナ２上面と五徳爪５に載置した調理容器の底面との間の空隙を介して炎孔２１に二次空気として供給される。その結果、バーナ２底面と天板１との間の空隙に燃焼中常に空気が流れることになり、この空気により天板１が冷却され、天板１の温度上昇を一層効果的に防止できる。
【００２１】
次に、図３、図４に示す第２実施形態について説明する。第２実施形態の基本的な構造は上記第１実施形態のものと特に異ならず、第１実施形態と同様の部材、部位に上記と同一の符号を付している。第２実施形態の第１実施形態との相違点は、バーナ２に混合気を供給する導管３を、複数の五徳爪５のうちの所定の五徳爪である♯１の五徳爪５で覆われるように設けたことである。即ち、♯１の五徳爪５の下面及び脚部５１の径方向内方を向く面に凹溝５２を形成して、この凹溝５２に導管３を嵌め込んでいる。
【００２２】
これによれば、導管３が♯１の五徳爪５で目隠しされると共に、第１実施形態の如く五徳爪５とは別の化粧カバー３１を設けるものと異なり、外観がすっきりして、体裁が良好になり、更に、化粧カバー３１が不要になって、部品点数を削減できる。
【００２３】
また、第２実施形態では、♯１の五徳爪５とその対角の♯２の五徳爪５の脚部５１が着座する天板１の部分に凹部１２を形成して、五徳爪５及びバーナ２を位置決めできるようにしている。
【００２４】
以上、本発明の実施形態について図面を参照して説明したが、本発明はこれに限定されるものではなく、本発明の趣旨を逸脱しない範囲で種々変形して実施することができる。例えば、上記実施形態では、バーナ２の外周形状が平面視円形であるが、六角形や八角形等の平面視多角形であってもよい。
【符号の説明】
【００２５】
１…天板、２…バーナ、２１…炎孔、２２…貫通穴、３…導管、４３…ファン、５…五徳爪。
【図１】
2016200374.tif 000003
【図２】
2016200374.tif 000004
【図３】
2016200374.tif 000005
【図４】
2016200374.tif 000006